(57)【要約】【課題】照明装置に記号を表示される機能を持たせる。【解決手段】照明装置１０は、基板１００、発光領域、拡散膜、及び複数の第１端子１１４を備えている。発光領域は基板１００に設けられており、互いに同じ色を発光する複数の発光部（第１発光部１０２及び第２発光部１０４）を有している。拡散膜は発光領域に配置され、発光領域からの光を拡散する。複数の発光部の一部（複数の第１発光部１０２）は、全体で記号を表示可能である。複数の発光部の他の一部（第２発光部１０４）は、複数の第１発光部１０２に囲まれており、上記した記号を表示する際には発光しないが、照明装置１０が照明装置として機能する場合には発光する。そして、複数の第１発光部１０２、第２発光部１０４、及び複数の第１端子１１４は、いずれも第１導電膜１１２を有している。【選択図】図２
2015191718.tif 000002
【特許請求の範囲】
【請求項１】
基板と、
前記基板に設けられ、互いに同じ色を発光する複数の発光部を有する発光領域と、
前記発光領域に配置され、前記発光領域からの光を拡散する拡散膜と、
前記基板に形成され、前記複数の発光部のそれぞれに電気的に接続している複数の端子と、
を備え、
前記複数の発光部は、
全体で記号を表示可能な複数の第１発光部と、
前記複数の第１発光部に囲まれた第２発光部と、
を有し、
前記複数の第１発光部、前記第２発光部、及び前記複数の端子は、いずれも第１導電膜を有している照明装置。
【請求項２】
請求項１に記載の照明装置において、
前記第１発光部と前記第２発光部の大きさは互いに異なる照明装置。
【請求項３】
請求項２に記載の照明装置において、
前記第２発光部と、前記端子とを接続する配線とを備え、
前記配線は、前記複数の第１発光部の間を介して前記端子まで延在している照明装置。
【請求項４】
請求項３に記載の照明装置において、
前記複数の第１発光部の間は非発光部である照明装置。
【請求項５】
請求項４に記載の照明装置において、
前記複数の端子は、前記複数の第１発光部と前記基板の端との間に配置されている照明装置。
【請求項６】
請求項５に記載の照明装置において、
前記拡散膜を複数備え、
前記配線のうち前記複数の第１発光部の間に位置する部分は、前記複数の拡散膜の間隙と重なっている照明装置。
【発明の詳細な説明】
【技術分野】
【０００１】
本発明は、照明装置に関する。
【背景技術】
【０００２】
有機ＥＬ素子の開発が進んでいる。有機ＥＬ素子は面発光するため、情報を表示する表示装置のみならず、照明装置の光源としても利用されている。
【０００３】
なお、特許文献１には、有機ＥＬ素子を用いた表示装置において、有機層の上にドット状の電極を配置し、さらにその上に文字などのパターンが形成されたパターン電極を配置することが記載されている。この技術において、パターン電極に電圧を印加すると、ドット状の電極のうちパターン電極と重なっている電極のみに電圧が印加されるため、パターンが表示される。
【先行技術文献】
【特許文献】
【０００４】
【特許文献１】特開平６−２９０８９号公報
【発明の概要】
【発明が解決しようとする課題】
【０００５】
本発明者は、照明装置に数字などの記号を表示させる機能を持たせることを検討した。
【０００６】
本発明が解決しようとする課題としては、照明装置に記号を表示させる機能を持たせることが一例として挙げられる。
【課題を解決するための手段】
【０００７】
請求項１に記載の発明は、基板と、
前記基板に設けられ、互いに同じ色を発光する複数の発光部を有する発光領域と、
前記発光領域に配置され、前記発光領域からの光を拡散する拡散膜と、
前記基板に形成され、前記複数の発光部のそれぞれに電気的に接続している複数の端子と、
を備え、
前記複数の発光部は、
全体で記号を表示可能な複数の第１発光部と、
前記複数の第１発光部に囲まれた第２発光部と、
を有し、
前記複数の第１発光部、前記第２発光部、及び前記複数の端子は、いずれも第１導電膜を有している照明装置である。
【図面の簡単な説明】
【０００８】
【図１】実施形態に係る照明装置の構成を示す平面図である。
【図２】図１から第２導電膜を取り除いた図である。
【図３】照明装置を光が取り出される側から見た図である。
【図４】発光素子の第１電極の形状を説明するための図である。
【図５】図２のＡ−Ａ断面図である。
【図６】変形例１に係る照明装置の構成を示す平面図である。
【図７】変形例２に係る照明装置の構成を示す平面図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
図１は、実施形態に係る照明装置１０の構成を示す平面図である。図２は、図１から第２導電膜１５２を取り除いた図である。図１，２は、照明装置１０を光が取り出されない側から見た図である。図３は、照明装置１０を光が取り出される側から見た図である。
【００１１】
実施形態に係る照明装置１０は、基板１００、発光領域１０６（図３参照）、拡散膜１６０（図３参照）、及び複数の第１端子１１４を備えている。発光領域１０６は基板１００に設けられており、互いに同じ色を発光する複数の発光部（第１発光部１０２及び第２発光部１０４）を有している。拡散膜１６０は発光領域１０６に配置され、発光領域１０６からの光を拡散する。第１端子１１４は基板１００に形成されており、複数の発光部（第１発光部１０２及び第２発光部１０４）のそれぞれに電気的に接続している。複数の発光部の一部（複数の第１発光部１０２）は、全体で記号を表示可能である。ここで記号には、文字や数字が含まれる。また、複数の発光部の他の一部（第２発光部１０４）は、複数の第１発光部１０２に囲まれており、上記した記号を表示する際には発光しないが、照明装置１０が照明装置として機能する場合には発光する。そして、複数の第１発光部１０２、第２発光部１０４、及び複数の第１端子１１４は、いずれも第１導電膜１１２（後述）を有している。以下、詳細に説明する。
【００１２】
基板１００は、例えばガラス基板や樹脂基板などの透明基板である。基板１００は、可撓性を有していてもよい。この場合、基板１００の厚さは、例えば１０μｍ以上１０００μｍ以下である。この場合においても、基板１００は無機材料及び有機材料のいずれで形成されていてもよい。基板１００は、例えば矩形などの多角形である。
【００１３】
基板１００には発光領域１０６が設けられている。発光領域１０６には、複数の発光部が設けられている。詳細には、発光領域１０６は、複数の第１発光部１０２及び少なくとも一つの第２発光部１０４を有している。複数の第１発光部１０２は、全体で、照明機能及び記号表示機能を有している。また第２発光部１０４は、照明機能のみを有している。第１発光部１０２及び第２発光部１０４は、互いに同一の形状を有している。ただし、第１発光部１０２及び第２発光部１０４は、互いに異なる形状を有していても良い。また、複数の第１発光部１０２のうち少なくとも一つが、他の第１発光部１０２とは異なる形状を有していても良い。また、複数の第２発光部１０４のうち少なくとも一つが、他の第２発光部１０４とは異なる形状を有していても良い。
【００１４】
本図に示す例では、発光領域１０６は、７つの第１発光部１０２及び２つの第２発光部１０４を有している。２つの第２発光部１０４は、一つの第１発光部１０２（以下、第１発光部１０２ａと記載）を挟むように配置されている。そして残りの６つの第１発光部１０２のうち３つは、第１発光部１０２ａとともに、１つの第２発光部１０４を囲んでおり、さらに残った３つの第１発光部１０２は、第１発光部１０２ａとともに、もう一つの第２発光部１０４を囲んでいる。これにより、７つの第１発光部１０２のうち発光すべき第１発光部１０２を選択することにより、記号の一例としての数字が表示される。
【００１５】
第１発光部１０２及び第２発光部１０４は、何れも発光素子を有している。この発光素子は、基板１００のうち光取り出し面とは逆側の面に形成されており、第１電極１１０及び第２電極１５０の間に有機層１４０を挟んだ構成（図５を用いて後述）を有している。有機層１４０は、正孔輸送層、発光層、及び電子輸送層をこの順に積層した構成を有している。第１電極１１０が陽極の場合は、正孔輸送層が第１電極１１０の上に形成される。また、第１電極１１０が陰極の場合は、電子輸送層が第１電極１１０の上に形成される。なお、正孔輸送層と下部電極の間に正孔注入層が設けられていても良いし、電子輸送層と上部電極の間に電子注入層が設けられていても良い。有機層１４０の各層は、塗布法によって形成されても蒸着法によって形成されてもよく、一部を塗布法、残りを蒸着法で形成しても良い。なお、有機層１４０は蒸着材料を用いて蒸着法で形成してもよく、また、塗布材料を用いて、インクジェット法、印刷法、スプレー法で形成してもよい。
【００１６】
第１電極１１０及び第２電極１５０のうち少なくとも一方は透光性の電極になっている。また、残りの電極は、例えばＡｌやＡｇなどの金属によって形成されている。透光性の電極の材料は、例えば、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の無機材料、またはポリチオフェン誘導体などの導電性高分子、又は銀もしくは炭素からなるナノワイヤを利用した網目状電極である。本図に示す例では、発光素子はボトムエミッション型であるため、第１電極１１０は透光性の電極になっており、第２電極１５０は、Ａｌなど光を反射する電極になっている。また、第１電極１１０は陽極になっており、第２電極１５０は陰極になっている。第１電極１１０は、複数の発光部のそれぞれに対して設けられているが、第２電極１５０は、全ての発光部に共通の電極になっている。より具体的には、複数の発光部の上には第２導電膜１５２が形成されている。そして第２導電膜１５２の一部が第２電極１５０となっている。
【００１７】
なお、発光素子がトップエミッション型であり、基板１００の上に第１電極１１０、有機層１４０、及び第２電極１５０をこの順に積層した構成を有している場合、第１電極１１０はＡｌなど光を反射する電極になっており、第２電極１５０は透光性の電極になっている。また、両方の電極（第１電極１１０、第２電極１５０）を透光性の電極として、透光型の発光装置としても良い（デュアルエミッション型）。
【００１８】
発光領域１０６の周囲には、複数の端子（第１端子１１４、第２端子１５４）が設けられている。複数の第１端子１１４は、互いに異なる発光部の第１電極１１０に電気的に接続しており、第２端子１５４は電気的に第２電極１５０に接続している。本図に示す例では、第１端子１１４及び第２端子１５４は、いずれも基板１００の縁（端）と発光領域１０６の間に位置している。詳細には、複数の第１端子１１４は、基板１００の４辺のうち互いに対向する２辺に沿って配置されている。また第２端子１５４は、基板１００の残りの２辺のそれぞれに沿って配置されている。
【００１９】
そして、第１端子１１４と第１電極１１０は配線１１６によって接続されている。また第２電極１５０は、第２導電膜１５２のうち第２電極１５０として機能しない部分を介して、第２端子１５４に接続している。具体的には、隣り合う第１発光部１０２の間はある程度離れており、非発光部１１８（図４参照）となっている。そして、第２発光部１０４に接続する配線１１６、及び第１発光部１０２ａに接続する配線１１６は、この非発光部を通過している。言い換えると、配線１１６は、複数の第１電極１１０の間を介して第１端子１１４まで延在している。
【００２０】
なお、第１端子１１４及び配線１１６は、導電部材（例えばリード部材やボンディングワイヤ）を介して制御回路（図示せず）に電気的に接続している。この制御回路は、照明装置１０を照明装置として機能させる場合には複数の第１発光部１０２及び第２発光部１０４を同時に発光させる。また、照明装置１０に記号を表示させる場合、この制御回路は、少なくとも一部の第１発光部１０２を発光させ、かつ第２発光部１０４を発光させない。
【００２１】
また図３に示すように、基板１００のうち光が取り出される面（すなわち発光素子とは逆側の面）には、拡散膜１６０が設けられている。拡散膜１６０は照明装置１０の光取り出し効率を向上させるために設けられている。一方、拡散膜１６０は、光を拡散させるため、基板１００の全面に貼り付けると、複数の第１発光部１０２で表示された記号が視認されにくくなる。このため本図に示す例では、拡散膜１６０は、第１発光部１０２と重なる部分にのみ設けられている。詳細には、拡散膜１６０は、第１発光部１０２のそれぞれに対して互いに分離して設けられている。そして配線１１６のうち第１発光部１０２の間を延在している部分は、隣り合う２つの拡散膜１６０の間隙と重なっている。なお必要に応じて、拡散膜１６０を、全ての第１発光部１０２及び第２発光部１０４を覆うように配置しても構わない。この場合、一枚の拡散膜１６０が全ての第１発光部１０２及び第２発光部１０４を覆っていても良い。
【００２２】
図４は、発光素子の第１電極１１０の形状を説明するための図である。基板１００上には第１導電膜１１２が形成されている。第１電極１１０は、第１導電膜１１２の一部である。また第１導電膜１１２のうち他の一部は、配線１１６及び第１端子１１４となっている。詳細を後述するように、配線１１６及び第１端子１１４は、いずれも、第１導電膜１１２の上に第３導電膜１３２を積層した構成を有している。なお、第２端子１５４も、第１導電膜１１２の上に第３導電膜１３２を積層した構成を有している。
【００２３】
なお、図２及び図４において、第１導電膜１１２の分断線を点線で示している。この分断線から明らかなように、ある第１電極１１０、ならびにその第１電極１１０に接続している配線１１６及び第１端子１１４を構成する第１導電膜１１２は互いに連続している。すなわち、前述したある第１電極１１０、ならびにその第１電極１１０に接続している配線１１６及び第１端子１１４は、単一の第１導電膜１１０を構成している。そして、配線１１６は、この単一の第１電極１１０のうち非発光領域１１８によって一部が構成されている。非発光領域１１８は、例えば隣り合う２つの第１電極１１０の間を延在している。一方、互いに異なる第１電極１１０の間では、第１導電膜１１２は互いに分離している。また、第２端子１５４を構成する第１導電膜１１２も、他の第１導電膜１１２から分離している。すなわち、互いに異なる第１電極１１０、第２端子１５４を構成する第１導電膜１１２は、異なる複数の第１導電膜１１０により形成されている。
【００２４】
図５は、図２のＡ−Ａ断面図である。なお、本図では、説明のため第２導電膜１５２も示している。本図に示す例において、第１端子１１４及び配線１１６は、何れも第１導電膜１１２の上に第３導電膜１３２を積層した構成を有している。第３導電膜１３２は、第１導電膜１１２よりも低抵抗な材料、例えば金属によって形成されている。第３導電膜１３２は、例えばＭｏＮｂ合金、ＡｌＮｄ合金、及びＭｏＮｂ合金をこの順に積層した構造を有している。これに限らず、第３導電膜１３２は、Ａｌ、Ａｇなどの金属膜、ＩＴＯ、ＩＺＯ、ＡＺＯなどの透明導電膜をこの順に積層した構造にしてもよい。第３導電膜１３２を構成する金属膜は、Ａｌ、Ａｇ、Ａｌ、Ｐｔ、及びＣｕのひとつを主成分とする合金で形成されていてもよいし、Ａｇ等の金属材料からなる粒子（例：ナノ粒子）で形成されていてもよい。
【００２５】
また、基板１００の上には、発光素子を区画するために、絶縁層１２０が形成されている。絶縁層１２０は開口を有しており、この開口内に有機層１４０が形成されている。言い換えると、発光領域１０６の発光素子は、絶縁層１２０の開口と重なる領域に形成されている。絶縁層１２０は、配線１１６となる第３導電膜１３２も覆っている。
【００２６】
絶縁層１２０は、例えばポリイミド系樹脂などの感光性の樹脂であり、露光及び現像されることによって、所望のパターンに形成されている。絶縁層１２０としては、例えば、ポジ型の感光性樹脂が用いられる。なお、絶縁層１２０はポリイミド系樹脂以外の樹脂、例えばエポキシ系樹脂やアクリル系樹脂であっても良い。
【００２７】
また、第２導電膜１５２は、絶縁層１２０の上及び有機層１４０の上に連続して形成されている。そして第２導電膜１５２のうち有機層１４０の上に位置する部分が、第２電極１５０となる。
【００２８】
次に、照明装置１０の製造方法について説明する。まず、基板１００上に第１導電膜１１２を形成する。次いで、第１導電膜１１２をエッチング（例えばドライエッチング又はウェットエッチング）などを利用し、選択的に除去する。
【００２９】
次いで、基板１００上及び第１導電膜１１２上に、第３導電膜１３２となる導電層を、例えばスパッタリング法や蒸着法を用いて形成する。次いで、この導電層の上にレジストパターンを形成し、このレジストパターンをマスクとしてエッチング（例えばウェットエッチング）を行う。これにより、第３導電膜１３２が形成される。この段階で、配線１１６、第１端子１１４、及び第２端子１５４が形成される。
【００３０】
次いで、基板１００上、第１電極１１０上、及び配線１１６に絶縁層を形成し、この絶縁層を、薬液（例えば現像液）を利用して選択的に除去する。これにより、絶縁層１２０及び開口が形成される。絶縁層１２０が絶縁層で形成されている場合、絶縁層１２０及び開口は、露光処理及び現像処理によって形成される。絶縁層１２０がポリイミド系樹脂で形成されている場合、絶縁層１２０には、さらに加熱処理が行われる。これにより、絶縁層１２０のイミド化が進む。
【００３１】
次いで、絶縁層１２０の開口内に有機層１４０を形成する。有機層１４０は、全ての層を塗布法によって形成されてもよいし、全ての層を蒸着法によって形成されてもよいし、一部を塗布法、残りを蒸着法で形成しても良い。有機層１４０を構成する少なくとも一つの層（例えば正孔輸送層）は、例えばスプレー塗布、ディスペンサー塗布、インクジェット、又は印刷などの塗布法を用いて形成されてもよい。なお、有機層１４０の残りの層は、例えば蒸着法を用いて形成されるが、これらの層も塗布法を用いて形成されてもよい。
【００３２】
次いで、有機層１４０上に第２電極１５０を、例えば蒸着法やスパッタリング法を用いて形成する。
【００３３】
以上、本実施形態によれば、照明装置１０は、一般的な照明装置として機能する場合、第１発光部１０２及び第２発光部１０４の全てが発光する。また照明装置１０が記号を表示する場合、第２発光部１０４は発光しない。このようにすることで、照明装置１０に記号を表示する機能を持たせることができる。
【００３４】
（変形例１）
図６は、変形例１に係る照明装置１０の構成を示す平面図であり、実施形態における図３に対応している。本変形例に係る照明装置１０は、拡散膜１６０が第２発光部１０４と重なる領域にのみ設けられている点を除いて、実施形態に係る照明装置１０と同様の構成である。
【００３５】
本変形例によっても、照明装置１０に記号を表示する機能を持たせることができる。また、拡散膜１６０は第２発光部１０４と重なる領域にのみ設けられているため、複数の第１発光部１０２で表示された記号は視認しやすい。
【００３６】
（変形例２）
図７は、変形例２に係る照明装置１０の構成を示す平面図であり、実施形態における図２に対応している。本変形例に係る照明装置１０は、第１発光部１０２と第２発光部１０４の大きさが互いに異なる点を除いて、実施形態に係る照明装置１０と同様の構成である。本図に示す例では、第２発光部１０４は第１発光部１０２よりも大きい。
【００３７】
本変形例によっても、照明装置１０に記号を表示する機能を持たせることができる。また、第１発光部１０２と第２発光部１０４の大きさが互いに異なるため、複数の第１発光部１０２で表示された記号を視認しやすくすることができる。
【００３８】
以上、図面を参照して実施形態及び実施例について述べたが、これらは本発明の例示であり、上記以外の様々な構成を採用することもできる。
【００３９】
本発明は、例えば、照明装置を備える屋外照明機器又は屋内照明機器に適用できる。また、本発明を、数字やアルファベット（文字）などの文字表示も可能な照明装置もしくは時計、スコアも表示可能な照明装置、及びアラーム機能もしくは発光部の寿命を表示する機能を備える照明装置に適用できる。
【符号の説明】
【００４０】
１０ 照明装置
１００ 基板
１０２ 第１発光部
１０４ 第２発光部
１０６ 発光領域
１１０ 第１電極
１１２ 第１導電膜
１１４ 第１端子
１１６ 配線
１３２ 第３導電膜
１４０ 有機層
１５０ 第２電極
１５２  第２導電膜
１５４  第２端子
１６０ 拡散膜
【図１】
2015191718.tif 000003
【図２】
2015191718.tif 000004
【図３】
2015191718.tif 000005
【図４】
2015191718.tif 000006
【図５】
2015191718.tif 000007
【図６】
2015191718.tif 000008
【図７】
2015191718.tif 000009